(57)【要約】      （修正有）【課題】表示品位の良好な液晶表示装置を提供する。【解決手段】ソース配線Ｓとゲート配線Ｇとが交差する位置近傍に配置されたスイッチング素子と、を備えたアレイ基板と、列方向に並んだ画素電極ＰＥと対向して配置され、赤色着色層、緑色着色層および青色着色層を含むカラーフィルタを備えた対向基板と、アレイ基板と対向基板との間に配置されたスペーサＳＳと、を備え、列方向に隣接した画素電極ＰＥは、スイッチング素子を介して互いに異なるソース配線Ｓと電気的に接続され、行方向における一方側のソース配線Ｓとスイッチング素子を介して電気的に接続した画素電極ＰＥは、行方向における他方側のソース配線Ｓの上層を覆うように配置され、赤色着色層と緑色着色層との境界と対向して配置されたスペーサＳＳ数は、赤色着色層と青色着色層との境界と対向して配置されたスペーサＳＳ数よりも少ない液晶表示装置。【選択図】図５
2014186135.tif 000002
【特許請求の範囲】
【請求項１】
マトリクス状に配置された画素電極と、前記画素電極が配列した列に沿って延びたソース配線と、前記画素電極が配列した行に沿って延びたゲート配線と、前記ソース配線と前記ゲート配線とが交差する位置近傍に配置されたスイッチング素子と、を備えたアレイ基板と、
前記列方向に並んだ前記画素電極と対向して配置され、赤色着色層、緑色着色層および青色着色層を含むカラーフィルタを備えた対向基板と、
前記アレイ基板と前記対向基板との間に保持された液晶層と、
前記アレイ基板と前記対向基板との間に配置されたスペーサと、を備え、
前記列方向に隣接した前記画素電極は、前記スイッチング素子を介して互いに異なるソース配線と電気的に接続され、
前記行方向における一方側の前記ソース配線と前記スイッチング素子を介して電気的に接続した前記画素電極は、前記行方向における他方側の前記ソース配線の上層を覆うように配置され、
前記赤色着色層と前記緑色着色層との境界と対向して配置された前記スペーサの数は、前記赤色着色層と前記青色着色層との境界と対向して配置された前記スペーサの数よりも少ない液晶表示装置。
【請求項２】
マトリクス状に配置された画素電極と、前記画素電極が配列した列に沿って延びたソース配線と、前記画素電極が配列した行に沿って延びたゲート配線と、前記ソース配線と前記ゲート配線とが交差する位置近傍に配置されたスイッチング素子と、を備えたアレイ基板と、
前記列方向に並んだ前記画素電極と対向して配置され、赤色着色層、緑色着色層および青色着色層を含むカラーフィルタを備えた対向基板と、
前記アレイ基板と前記対向基板との間に保持された液晶層と、
前記アレイ基板と前記対向基板との間に配置されたスペーサと、を備え、
前記列方向に隣接した前記画素電極は、前記スイッチング素子を介して互いに異なるソース配線と電気的に接続され、
前記行方向における一方側の前記ソース配線と前記スイッチング素子を介して電気的に接続した前記画素電極は、前記行方向における他方側の前記ソース配線の上層を覆うように配置され、
前記赤色着色層と前記緑色着色層との境界と対向して配置された前記スペーサの底面の面積は、前記赤色着色層と前記青色着色層との境界と対向して配置された前記スペーサの底面の面積よりも小さい液晶表示装置。
【請求項３】
前記緑色着色層と前記青色着色層との境界と対向した位置に前記スペーサが配置されない請求項１又は請求項２記載の液晶表示装置。
【請求項４】
前記スペーサは、前記ソース配線と前記ゲート配線とが交差した位置と対向して配置されている請求項１乃至請求項３のいずれか１項記載の液晶表示装置。
【請求項５】
前記列方向に並んだ前記ゲート配線間において、前記行方向に沿って延びた補助容量線と、前記対向基板において前記画素電極と対向する共通電極と、前記共通電極の除去部と、を更に備え、
前記液晶層の液晶分子は負の誘電率異方性を有している請求項１乃至請求項４のいずれか１項記載の液晶表示装置。
【請求項６】
前記赤色着色層と前記緑色着色層との境界と対向した前記スペーサの少なくとも一部は、前記補助容量線と前記ソース配線とが交差した位置と対向して配置されている請求項１乃至請求項３のいずれか１項記載の液晶表示装置。
【請求項７】
前記スペーサは、前記赤色着色層と前記緑色着色層との境界と対向した前記ソース配線上を覆う前記画素電極が配置された緑色を表示する画素において、前記赤色着色層と前記緑色着色層との境界と対向した前記ソース配線と対向して配置されている請求項１乃至請求項３のいずれか１項記載の液晶表示装置。
【請求項８】
前記スペーサは、前記赤色着色層と前記緑色着色層との境界と対向した前記ソース配線と前記ゲート配線とが交差した位置との近傍において、赤色を表示する画素間に配置された前記ゲート配線と対向して配置されている請求項１乃至請求項３のいずれか１項記載の液晶表示装置。
【発明の詳細な説明】
【技術分野】
【０００１】
本発明の実施形態は、液晶表示装置に関する。
【背景技術】
【０００２】
液晶表示装置は、様々な電子機器に搭載されている。液晶表示装置には、例えば、アクティブマトリクス型の液晶表示パネルが多く用いられている。液晶表示パネルは、アレイ基板と、対向基板と、アレイ基板及び対向基板間に挟持された液晶層とを備えている。アレイ基板は、互いに交差するように配線された複数本のゲート配線と複数本のソース配線と、これらゲート配線及びソース配線により区画された各画素領域に形成されたスイッチング素子としての薄膜トランジスタ（Thin Film Transistor：ＴＦＴ）と、を備えている。
【先行技術文献】
【特許文献】
【０００３】
【特許文献１】特開２０１０−２６４８１８号公報
【発明の概要】
【発明が解決しようとする課題】
【０００４】
本発明の実施形態は、表示品位の良好な液晶表示装置を提供することを目的とする。
【課題を解決するための手段】
【０００５】
実施形態によれば、マトリクス状に配置された画素電極と、前記画素電極が配列した列に沿って延びたソース配線と、前記画素電極が配列した行に沿って延びたゲート配線と、前記ソース配線と前記ゲート配線とが交差する位置近傍に配置されたスイッチング素子と、を備えたアレイ基板と、前記列方向に並んだ前記画素電極と対向して配置され、赤色着色層、緑色着色層および青色着色層を含むカラーフィルタを備えた対向基板と、前記アレイ基板と前記対向基板との間に保持された液晶層と、前記アレイ基板と前記対向基板との間に配置されたスペーサと、を備え、前記列方向に隣接した前記画素電極は、前記スイッチング素子を介して互いに異なるソース配線と電気的に接続され、前記行方向における一方側の前記ソース配線と前記スイッチング素子を介して電気的に接続した前記画素電極は、前記行方向における他方側の前記ソース配線の上層を覆うように配置され、前記赤色着色層と前記緑色着色層との境界と対向して配置された前記スペーサの数は、前記赤色着色層と前記青色着色層との境界と対向して配置された前記スペーサの数よりも少ない液晶表示装置が提供される。
【図面の簡単な説明】
【０００６】
【図１】図１は、本実施形態における液晶表示装置の構成及び等価回路を概略的に示す図である。
【図２】図２は、図１に示した液晶表示パネルを対向基板側から見たときの画素の構造例を概略的に示す平面図である。
【図３】図３は、図２に示した液晶表示パネルをＡ−Ａ線で切断したときの断面構造を概略的に示す断面図である。なお、ここでは、説明に必要な箇所のみを図示している。
【図４】図４は、図２に示した液晶表示パネルをＢ−Ｂ線で切断したときの断面構造を概略的に示す断面図である。なお、ここでは、説明に必要な箇所のみを図示している。
【図５】図５は、一実施形態の液晶表示装置において、柱状スペーサを配置する位置の一例について説明するための図である。
【図６】図６は、一実施形態の液晶表示装置において、柱状スペーサを配置する位置の他の例について説明するための図である。
【図７】図７は、一実施形態の液晶表示装置において、柱状スペーサを配置する位置の他の例について説明するための図である。
【図８】図８は、一実施形態の液晶表示装置において、柱状スペーサを配置する位置の他の例について説明するための図である。
【図９】図９は、一実施形態の液晶表示装置において、柱状スペーサを配置する位置の他の例について説明するための図である。
【発明を実施するための形態】
【０００７】
以下、本実施形態について、図面を参照しながら詳細に説明する。なお、各図において、同一又は類似した機能を発揮する構成要素には同一の参照符号を付し、重複する説明は省略する。
【０００８】
図１は、本実施形態における液晶表示装置の構成及び等価回路を概略的に示す図である。なお、本実施形態の液晶表示装置は、液晶配向モードとして垂直配向モードを採用している。
【０００９】
すなわち、液晶表示装置は、アクティブマトリクスタイプの液晶表示パネルＬＰＮを備えている。液晶表示パネルＬＰＮは、第１基板であるアレイ基板ＡＲと、アレイ基板ＡＲに対向して配置された第２基板である対向基板ＣＴと、これらのアレイ基板ＡＲと対向基板ＣＴとの間に保持された液晶層ＬＱと、を備えている。このような液晶表示パネルＬＰＮは、画像を表示するアクティブエリアＡＣＴを備えている。このアクティブエリアＡＣＴは、ｍ×ｎ個のマトリクス状に配置された複数の画素ＰＸによって構成されている（但し、ｍ及びｎは正の整数である）。
【００１０】
液晶表示パネルＬＰＮは、アクティブエリアＡＣＴにおいて、ｎ本のゲート配線Ｇ（Ｇ１〜Ｇｎ）、ｎ本の補助容量線Ｃ（Ｃ１〜Ｃｎ）、ｍ本のソース配線Ｓ（Ｓ１〜Ｓｍ）などを備えている。ゲート配線Ｇ及び補助容量線Ｃは、例えば、第１方向Ｘに沿って略直線的に延出している。これらのゲート配線Ｇ及び補助容量線Ｃは、第１方向Ｘに交差する第２方向Ｙに沿って交互に並列配置されている。ここでは、第１方向Ｘと第２方向Ｙとは互いに略直交している。ソース配線Ｓは、ゲート配線Ｇ及び補助容量線Ｃと交差している。ソース配線Ｓは、第２方向Ｙに沿って略直線的に延出している。なお、ゲート配線Ｇ、補助容量線Ｃ、及び、ソース配線Ｓは、必ずしも直線的に延出していなくても良く、それらの一部が屈曲していてもよい。また、補助容量線Ｃは液晶表示装置の設計に応じて省略されてもよい。
【００１１】
各ゲート配線Ｇは、アクティブエリアＡＣＴの外側に引き出され、ゲートドライバＧＤに接続されている。各ソース配線Ｓは、アクティブエリアＡＣＴの外側に引き出され、ソースドライバＳＤに接続されている。これらのゲートドライバＧＤ及びソースドライバＳＤの少なくとも一部は、例えば、アレイ基板ＡＲに形成され、コントローラを内蔵した駆動ＩＣチップ２と接続されている。
【００１２】
各画素ＰＸは、スイッチング素子ＳＷ、画素電極ＰＥ、共通電極ＣＥなどを備えている。保持容量Ｃｓは、例えば補助容量線Ｃと画素電極ＰＥとの間に形成される。補助容量線Ｃは、補助容量電圧が印加される電圧印加部ＶＣＳと電気的に接続されている。
【００１３】
なお、本実施形態においては、液晶表示パネルＬＰＮは、画素電極ＰＥがアレイ基板ＡＲに形成される一方で共通電極ＣＥの少なくとも一部が対向基板ＣＴに形成された構成であり、これらの画素電極ＰＥと共通電極ＣＥとの間に形成される電界を主に利用して液晶層ＬＱの液晶分子をスイッチングする。画素電極ＰＥと共通電極ＣＥとの間に形成される電界は、基板主面に対して略垂直方向に形成される。
【００１４】
スイッチング素子ＳＷは、例えば、ｎチャネル薄膜トランジスタ（ＴＦＴ）によって構成されている。このスイッチング素子ＳＷは、ゲート配線Ｇ及びソース配線Ｓと電気的に接続されている。本実施形態では、第２方向Ｙに隣接した画素ＰＸに配置されたスイッチング素子ＳＷは、互いに異なるソース配線Ｓと電気的に接続している。第１方向Ｘに隣接した画素ＰＸにおいて、スイッチング素子ＳＷは共通のゲート配線Ｇと電気的に接続するとともに、第１方向Ｘにおける同じ側にあるソース配線Ｓと電気的に接続している。このようなスイッチング素子ＳＷは、トップゲート型あるいはボトムゲート型のいずれであっても良い。また、スイッチング素子ＳＷの半導体層は、例えば、ポリシリコンによって形成されているが、アモルファスシリコンによって形成されていても良い。
【００１５】
画素電極ＰＥは、各画素ＰＸに配置され、スイッチング素子ＳＷに電気的に接続されている。共通電極ＣＥは、液晶層ＬＱを介して複数の画素ＰＸの画素電極ＰＥに対して共通に配置されている。このような画素電極ＰＥ及び共通電極ＣＥは、例えば、インジウム・ティン・オキサイド（ＩＴＯ）やインジウム・ジンク・オキサイド（ＩＺＯ）などの光透過性を有する導電材料によって形成されている。
【００１６】
アレイ基板ＡＲは、共通電極ＣＥに電圧を印加するための給電部（図示せず）を備えている。この給電部は、例えば、アクティブエリアＡＣＴの外側に形成されている。共通電極ＣＥは、アクティブエリアＡＣＴの外側においてアレイ基板ＡＲの給電部と導電ペースト等の導電部材を介して電気的に接続している。
【００１７】
図２は、図１に示した液晶表示パネルＬＰＮを対向基板側から見たときの画素ＰＸの構造例を概略的に示す平面図である。ここでは、第２方向Ｙに並んだ画素ＰＸをＸ−Ｙ平面における平面図で示している。以下、図２の説明のために、第２方向Ｙにおいて上側に位置する画素を第１画素ＰＸ１、下側に位置する画素を第２画素ＰＸ２と称する。
【００１８】
ゲート配線ＧＫ、ゲート配線ＧＫ＋１及びゲート配線ＧＫ＋２は、第１方向Ｘに沿って延びている（Ｋは１以上ｎ−２以下の正の整数）。補助容量線ＣＫは、隣接するゲート配線ＧＫとゲート配線ＧＫ＋１との間に配置され、第１方向Ｘに沿って延びている。補助容量線ＣＫ＋１は、隣接するゲート配線ＧＫ＋１とゲート配線ＧＫ＋２との間に配置され、第１方向Ｘに沿って延びている。ソース配線Ｓ１及びソース配線Ｓ２は、第２方向Ｙに沿って延びている。
【００１９】
図示した例では、第１画素ＰＸ１及び第２画素ＰＸ２において、ソース配線Ｓ１は左側端部に配置され、ソース配線Ｓ２は右側端部に配置されている。厳密には、ソース配線Ｓ１は当該画素ＰＸ１、ＰＸ２とその左側に隣接する画素との境界に跨って配置され、ソース配線Ｓ２は当該画素ＰＸ１、ＰＸ２とその右側に隣接する画素との境界に跨って配置されている。
【００２０】
また、第１画素ＰＸ１において、ゲート配線ＧＫは上側端部に配置され、ゲート配線ＧＫ＋１は下側端部に配置されている。厳密には、ゲート配線ＧＫは第１画素ＰＸ１とその上側に隣接する画素との境界に跨って配置され、ゲート配線ＧＫ＋１は第１画素ＰＸ１とその下側に隣接する第２画素ＰＸ２との境界に跨って配置されている。補助容量線ＣＫは、第１画素ＰＸ１の略中央部に配置されている。
【００２１】
第１画素ＰＸ１において、画素電極ＰＥは、隣接するソース配線Ｓ１とソース配線Ｓ２との間に配置されている。また、画素電極ＰＥは、ゲート配線ＧＫとゲート配線ＧＫ＋１との間に位置している。厳密には、第１画素ＰＸ１において、画素電極ＰＥの中心の位置は、第１方向Ｘにおけるソース配線Ｓ１とソース配線Ｓ２との中心の位置よりもソース配線Ｓ２寄りに配置されている。すなわち、第１画素ＰＸ１に配置された画素電極ＰＥの端部は、第１方向Ｘにおいてソース配線Ｓ１と間隔を置いて配置されているとともに、ソース配線Ｓ２の上層に重畳するように配置されている。換言すると、第１方向Ｘにおいて、画素電極ＰＥの端部とソース配線Ｓ１との間の距離は、画素電極ＰＥの端部とソース配線Ｓ２との間の距離よりも大きい。
【００２２】
また、第２画素ＰＸ２において、ゲート配線ＧＫ＋１は上側端部に配置され、ゲート配線ＧＫ＋２は下側端部に配置されている。厳密には、ゲート配線ＧＫ＋１は第２画素ＰＸ２とその上側に隣接する第１画素ＰＸ１との境界に跨って配置され、ゲート配線ＧＫ＋２は第２画素ＰＸ２とその下側に隣接する画素との境界に跨って配置されている。補助容量線ＣＫ＋１は、第２画素ＰＸ２の略中央部に配置されている。
【００２３】
第２画素ＰＸ２において、画素電極ＰＥは、隣接するソース配線Ｓ１とソース配線Ｓ２との間に配置されている。また、画素電極ＰＥは、ゲート配線ＧＫ＋１とゲート配線ＧＫ＋２との間に位置している。厳密には、第２画素ＰＸ２において、画素電極ＰＥの中心の位置は、第１方向においてソース配線Ｓ１とソース配線Ｓ２との中心の位置よりもソース配線Ｓ１側に配置されている。すなわち、第２画素ＰＸ２に配置された画素電極ＰＥの端部は、第１方向Ｘにおいてソース配線Ｓの上層に重畳するように配置されているとともに、第１方向Ｘにおいてソース配線Ｓ２と間隔を置いて配置されている。換言すると、第１方向Ｘにおいて、画素電極ＰＥの端部とソース配線Ｓ１との間の距離は、画素電極ＰＥの端部とソース配線Ｓ２との間の距離よりも小さい。
【００２４】
図示した例では、第１画素ＰＸ１において、スイッチング素子ＳＷはゲート配線ＧＫ＋１及びソース配線Ｓ１に電気的に接続されている。このスイッチング素子ＳＷは、ゲート配線ＧＫ＋１とソース配線Ｓ１の交点に設けられ、そのドレイン配線（半導体層ＳＣ）はゲート配線ＧＫ＋１の一方側に設けられたコンタクトホールＣＨ３を介してソース配線Ｓ１と電気的に接続し、ゲート配線ＧＫ＋１と交差してソース配線Ｓ１及び補助容量線ＣＫに沿って延長され、ゲート配線ＧＫ＋１の他方側において補助容量線ＣＫと重なる領域に形成されたコンタクトホールＣＨ１、ＣＨ２を介して画素電極ＰＥと電気的に接続されている。このようなスイッチング素子ＳＷは、ソース配線Ｓ１及び補助容量線ＣＫと重なる領域に設けられ、ソース配線Ｓ１及び補助容量線Ｃ１と重なる領域からほとんどはみ出すことはなく、表示に寄与する開口部の面積の低減を抑制している。
【００２５】
第２画素ＰＸ２において、スイッチング素子ＳＷは、図示した例では、ゲート配線ＧＫ＋２及びソース配線Ｓ２に電気的に接続されている。このスイッチング素子ＳＷは、ゲート配線ＧＫ＋２とソース配線Ｓ２の交点に設けられ、そのドレイン配線（半導体層ＳＣ）はゲート配線ＧＫ＋２の一方側に設けられたコンタクトホールＣＨ３を介してソース配線Ｓ２と電気的に接続し、ゲート配線ＧＫ＋２と交差してソース配線Ｓ２及び補助容量線ＣＫ＋１に沿って延長され、ゲート配線ＧＫ＋２の他方側において補助容量線ＣＫ＋１と重なる領域に形成されたコンタクトホールＣＨ１、ＣＨ２を介して画素電極ＰＥと電気的に接続されている。このようなスイッチング素子ＳＷは、ソース配線Ｓ１及び補助容量線Ｃ１と重なる領域に設けられ、ソース配線Ｓ１及び補助容量線ＣＫ＋１と重なる領域からほとんどはみ出すことはなく、表示に寄与する開口部の面積の低減を抑制している。
【００２６】
図３は、図２に示した液晶表示パネルＬＰＮをＡ−Ａ線で切断したときの断面構造を概略的に示す断面図である。なお、ここでは、説明に必要な箇所のみを図示している。
【００２７】
液晶表示パネルＬＰＮを構成するアレイ基板ＡＲの背面側には、バックライト４が配置されている。バックライト４としては、種々の形態が適用可能であり、また、光源として発光ダイオード（ＬＥＤ）を利用したものや冷陰極管（ＣＣＦＬ）を利用したものなどのいずれでも適用可能であり、詳細な構造については説明を省略する。
【００２８】
アレイ基板ＡＲは、光透過性を有する第１絶縁基板１０を用いて形成されている。第１絶縁基板１０上は第１層間絶縁膜１１によって覆われている。半導体層ＳＣ（ドレイン電極）は、第１層間絶縁膜１１上に配置され第２層間絶縁膜１２に覆われている。図示しないゲート配線や補助容量線は、第２層間絶縁膜１２上に配置され第３層間絶縁膜１３に覆われている。ソース配線Ｓは、第３層間絶縁膜１３上に配置され平坦化膜１４に覆われている。ソース配線Ｓは半導体層ＳＣの直上に配置されている。換言すると、ソース配線Ｓと半導体層ＳＣとは第３方向Ｚにおいて重畳している。第３方向Ｚとは、第１方向Ｘ及び第２方向Ｙに直交する方向、あるいは、液晶表示パネルＬＰＮの法線方向である。画素電極ＰＥは、平坦化膜１４上に配置され第１配向膜ＡＬ１に覆われている。
【００２９】
第１配向膜ＡＬ１は、アレイ基板ＡＲの対向基板ＣＴと対向する面に配置され、アクティブエリアＡＣＴの略全体に亘って延在している。この第１配向膜ＡＬ１は、画素電極ＰＥなどを覆っており、平坦化膜１４上にも配置されている。このような第１配向膜ＡＬ１は、垂直配向性を示す材料によって形成されている。
【００３０】
対向基板ＣＴは、光透過性を有する第２絶縁基板２０を用いて形成されている。この対向基板ＣＴは、ブラックマトリクスＢＭ、カラーフィルタＣＦ、オーバーコート層ＯＣ、共通電極ＣＥ、第２配向膜ＡＬ２などを備えている。
【００３１】
ブラックマトリクスＢＭは、各画素ＰＸを区画し、画素電極ＰＥと対向する開口部ＡＰを形成する。すなわち、ブラックマトリクスＢＭは、ソース配線Ｓ、ゲート配線、補助容量線、スイッチング素子などの配線部に対向するように配置されている。ここでは、ブラックマトリクスＢＭは、第２方向Ｙに沿って延出した部分のみが図示されているが、第１方向Ｘに沿って延出した部分を備えていても良い。このブラックマトリクスＢＭは、第２絶縁基板２０のアレイ基板ＡＲに対向する内面２０Ａに配置されている。
【００３２】
カラーフィルタＣＦは、各画素ＰＸに対応して配置されている。すなわち、カラーフィルタＣＦは、第２絶縁基板２０の内面２０Ａにおける開口部ＡＰに配置されるとともに、その一部がブラックマトリクスＢＭに乗り上げている。第１方向Ｘに隣接する画素ＰＸにそれぞれ配置されたカラーフィルタＣＦは、互いに色が異なる。カラーフィルタＣＦの各着色層はアクティブエリアＡＣＴにおいて第２方向Ｙに延びている。すなわち、各色着色層は第２方向Ｙに並んだ画素電極ＰＥと対向するように配置され、異なる色の着色層が第１方向Ｘに並んで配置されている。例えば、カラーフィルタＣＦは、赤色、青色、緑色といった３原色にそれぞれ着色された樹脂材料によって形成された着色層を備えている。
【００３３】
赤色に着色された樹脂材料からなる赤色着色層ＣＦＲは、赤色画素（赤色を表示する画素）に対応して配置されている。青色に着色された樹脂材料からなる青色着色層ＣＦＢは、青色画素（青色を表示する画素）に対応して配置されている。緑色に着色された樹脂材料からなる緑色着色層ＣＦＧは、緑色画素（緑色を表示する画素）に対応して配置されている。これらのカラーフィルタＣＦ同士の境界は、ブラックマトリクスＢＭと重なる位置にある。
【００３４】
オーバーコート層ＯＣは、カラーフィルタＣＦを覆っている。このオーバーコート層ＯＣは、カラーフィルタＣＦの表面の凹凸の影響を緩和する。
【００３５】
共通電極ＣＥは、オーバーコート層ＯＣのアレイ基板ＡＲと対向する側に形成されている。共通電極ＣＥは複数の画素電極ＰＥと対向するように配置され、例えばアクティブエリアＡＣＴ全体に形成されている。共通電極ＣＥは、画素電極ＰＥと対向する位置において一部が除去されている。本実施形態では、共通電極ＣＥは、開口部ＡＰの略中央に設けられた十字状の除去部ＣＥＡ（図２に示す）を有している。除去部ＣＥＡは、第１方向Ｘと略平行に延びて除去された部分と、第２方向と略平行に延びて除去された部分とが交差した形状である。このように共通電極ＣＥに除去部ＣＥＡを形成することにより、液晶層の液晶分子の配向を制御し各画素ＰＸ内に液晶の配向状態が異なる複数のドメインを形成することができ、視野角特性を改善することができる。尚、共通電極ＣＥの除去部ＣＥＡは光を透過しない部分である。
【００３６】
第２配向膜ＡＬ２は、対向基板ＣＴのアレイ基板ＡＲと対向する面に配置され、アクティブエリアＡＣＴの略全体に亘って配置されている。この第２配向膜ＡＬ２は、共通電極ＣＥ及びオーバーコート層ＯＣなどを覆っている。第２配向膜ＡＬ２は、垂直配向性を示す材料によって形成されている。
【００３７】
図４は、図２に示した液晶表示パネルＬＰＮをＢ−Ｂ線で切断したときの断面構造を概略的に示す断面図である。なお、ここでは、柱状スペーサＳＳが配置された位置の断面において説明に必要な箇所のみを図示している。
【００３８】
遮光層ＬＣが第１絶縁基板１０上に配置され、第１層間絶縁膜１１により覆われている。遮光層ＬＣは、半導体層ＳＣとゲート配線Ｇとが交差した位置の下層に配置されている。遮光層ＬＣは、後述する柱状スペーサＳＳが配置された位置およびその周囲を遮光して柱状スペーサＳＳ近傍における光抜けを回避する。なお、遮光層ＬＣは、第１絶縁基板１０上に形成される各種配線、例えば、ゲート配線Ｇやソース配線Ｓの一部であってもよい遮光層ＬＣをアレイ基板ＡＲに設けることにより、柱状スペーサＳＳと遮光層との位置ずれを抑制することができる。また、遮光層ＬＣは、対向基板ＣＴのブラックマトリクスＢＭの一部であってもよい。
【００３９】
半導体層ＳＣは、第１絶縁基板１０上において遮光層ＬＣの直上に配置され、第２層間絶縁膜１２に覆われている。
【００４０】
ゲート配線ＧＫは、第２層間絶縁膜１２上において半導体層ＳＣと交差するように配置されている。ゲート配線ＧＫは半導体層ＳＣの上層において分岐し、半導体層ＳＣの２カ所と交差している。ゲート配線ＧＫは第３層間絶縁膜１３に覆われている。
【００４１】
ソース配線Ｓ１は、第３層間絶縁膜１３上において半導体層ＳＣの直上に配置され、平坦化膜１４に覆われている。
【００４２】
柱状スペーサＳＳは、下地層ＥＢを介して平坦化膜１４上に配置され、第１配向膜ＡＬ１に覆われている。下地層ＥＢは、画素電極ＰＥと同層に配置されている。柱状スペーサＳＳは、例えば樹脂材料により形成されている。
【００４３】
アレイ基板ＡＲと対向基板ＣＴとは、それぞれの第１配向膜ＡＬ１及び第２配向膜ＡＬ２が対向するように配置されている。このとき、アレイ基板ＡＲの第１配向膜ＡＬ１と対向基板ＣＴの第２配向膜ＡＬ２との間は、柱状スペーサＳＳにより所定のセルギャップ、例えば２〜７μｍのセルギャップが形成される。アレイ基板ＡＲと対向基板ＣＴとは、所定のセルギャップが形成された状態で、アクティブエリアＡＣＴの外側のシール材（図示せず）によって貼り合わせられている。尚、これら第１配向膜ＡＬ１及び第２配向膜ＡＬ２は液晶層ＬＱの液晶分子を垂直に配向させる垂直配向膜である。
【００４４】
液晶層ＬＱは、アレイ基板ＡＲと対向基板ＣＴとの間に形成されたセルギャップに保持され、第１配向膜ＡＬ１と第２配向膜ＡＬ２との間に配置されている。このような液晶層ＬＱの液晶分子は、例えば、誘電率異方性が負（ネガ型）の液晶材料によって構成され、液晶層ＬＱに含まれる液晶分子は、電圧が印加されていないときにはアレイ基板ＡＲ及び対向基板ＣＴの基板面に対して略垂直に配向し、所定の電圧が印加されたときにアレイ基板ＡＲ及び対向基板ＣＴの基板面に対して略水平に配向する。
【００４５】
アレイ基板ＡＲの外面、つまり、アレイ基板ＡＲを構成する第１絶縁基板１０の外面１０Bには、第１光学素子ＯＤ１が接着剤などにより貼付されている。第１光学素子ＯＤ１は、液晶表示パネルＬＰＮのバックライト４と対向する側に位置しており、バックライト４から液晶表示パネルＬＰＮに入射する入射光の偏光状態を制御する。この第１光学素子ＯＤ１は、第１偏光軸（あるいは第１吸収軸）を有する第１偏光板ＰＬ１を含んでいる。
【００４６】
対向基板ＣＴの外面、つまり、対向基板ＣＴを構成する第２絶縁基板２０の外面２０Ｂには、第２光学素子ＯＤ２が接着剤などにより貼付されている。この第２光学素子ＯＤ２は、液晶表示パネルＬＰＮの表示面側に位置しており、液晶表示パネルＬＰＮから出射した出射光の偏光状態を制御する。この第２光学素子ＯＤ２は、第２偏光軸（あるいは第２吸収軸）ＡＸ２を有する第２偏光板ＰＬ２を含んでいる。
【００４７】
本実施形態において、ソース配線Ｓの第１方向Ｘにおける幅は３μｍであって、ブラックマトリクスＢＭの延びた方向と略直交する方向における幅は４μｍである。
【００４８】
ここで、例えば液晶表示装置の極性反転駆動方法の一つであるカラム反転駆動を採用した液晶表示装置では、アクティブエリアＡＣＴの中央に略矩形状の窓を表示した場合、画素電極ＰＥとソース配線Ｓとのカップリング容量に起因した縦クロストークが生じることがある。本実施形態では、この縦クロストークを回避するために、ソース配線Ｓの電位変動はカラム反転同等とするとともに、第２方向Ｙに隣接した画素電極ＰＥが第２方向Ｙに沿ってスイッチング素子ＳＷを介して異なるソース配線Ｓと接続している。さらに、本実施形態では、画素電極ＰＥが、スイッチング素子ＳＷを介して接続したソース配線Ｓと逆極性のソース配線Ｓ側にシフトして配置されている。画素電極ＰＥは、絶縁層を介してスイッチング素子ＳＷを介して接続したソース配線Ｓと逆極性のソース配線Ｓ上を覆っている。このことにより、画素電極ＰＥとソース配線Ｓとのカップリング容量のバランスを調整し、縦クロストークの発生を抑制している。
【００４９】
しかしながら、上記のように画素電極ＰＥを一方のソース配線Ｓ側へシフトすることにより、第３方向Ｚに対して傾いた方向からアクティブエリアＡＣＴを視認した場合、隣接した画素ＰＸに表示される色が混ざってしまうことがあった。例えば、赤色画素ＰＸＲの画素電極ＰＥが、隣接した緑色画素ＰＸＧ側へシフトして配置されている箇所について、赤色画素ＰＸＲではバックライト４からの光を透過し緑色画素ＰＸＧではバックライト４からの光を遮断しているとき、赤色画素ＰＸＲを緑色画素ＰＸＧ側に傾いた斜め方向から視認すると、赤色画素ＰＸＲを透過する光の一部が緑色着色層ＣＦＧを介して視認され、本来であれば赤色に表示される箇所が橙色に見えることがあった。高輝度化および高精細化の要求にともない、ブラックマトリクスＢＭの幅を小さくすると、上記のように隣接した画素ＰＸの表示色が混ざることにより表示品位が低下することがより懸念される。
【００５０】
上記表示品位の低下の一因として、柱状スペーサＳＳの周囲の液晶の配向乱れが考えられる。そこで、本実施形態では、上記混色による表示品位の低下を抑制すべく柱状スペーサＳＳの配置位置を決定している。
【００５１】
液晶表示パネルＬＰＮは、アレイ基板ＡＲ及び対向基板ＣＴ間の隙間を一定に保つために複数の柱状スペーサＳＳを備えている。柱状スペーサＳＳをアレイ基板ＡＲ上にフォトリソグラフィ法により形成する場合、開口部ＡＰを避けて柱状スペーサＳＳを配置出来るため、良好な表示品位を得ることができる。
【００５２】
このとき、柱状スペーサＳＳを配置する領域については、セルギャップの均一性を保つため、アレイ基板ＡＲ及び対向基板ＣＴともに安定した平坦度を確保できる領域を選び、画素ＰＸ内の同一位置に配置することが望ましい。この為、柱状スペーサＳＳは、開口部ＡＰに重ならないように配置される。また安定した平坦度確保の為、アレイ基板ＡＲのコンタクトホールＣＨ１〜ＣＨ３周辺を避けて配置される。
【００５３】
さらに、ブラックマトリクスＢＭと対向する位置に柱状スペーサＳＳを配置することにより、２枚の基板間の距離を一定に保つと共に柱状スペーサＳＳを配置することによる開口率の低下を抑制して高輝度化を実現するとともに、柱状スペーサＳＳの選択的配置と高さの精度向上によるセルギャップ均一化に寄与してきたものである。
【００５４】
そこで、本実施形態の液晶表示装置では、柱状スペーサＳＳは、ソース配線Ｓとゲート配線Ｇとの交点付近又はソース配線Ｓと補助容量線Ｃとの交点付近に配置されている。
【００５５】
ここで、ガラス基板の面押しに対して高い耐久性をもつ液晶表示装置を製造するためにはスペーサ面密度（基板面の単位面積当たりの柱状スペーサＳＳの面積）を高くすることが望ましい。また、均一なセルギャップの液晶表示装置を得るためにも、所定値以上のスペーサ面密度であることが望ましい。
【００５６】
図５は、上記液晶表示装置において、柱状スペーサＳＳを配置する位置の一例について説明するための図である。ここでは、説明に必要な構成のみを示し他の構成は省略している。また、画素ＰＸの中央においてゲート線と平行に配置されている補助容量線Ｃ及び共通電極の十字状の除去部ＣＥＡは図２と同様であり、図５では省略している。
【００５７】
本実施形態の液晶表示装置では、高輝度を実現する為に、カラーフィルタＣＦの赤、緑、青の三種類の着色層のうち、緑色着色層ＣＦＧの透過率を高く設計している。この場合、緑色画素ＰＸＧが駆動されていない状態（バックライト４からの光を遮断する状態）で、隣接した赤色画素ＰＸＲや、青色画素ＰＸＢが駆動している場合に混色した状態で視認されやすくなる。
【００５８】
そこで、図５に示す例ではでは、上記事情を鑑みて緑色画素ＰＸＧの周囲を囲む領域に配置される柱状スペーサＳＳを少なくしている。より具体的には、赤色画素ＰＸＲと緑色画素ＰＸＧとの間に配置されたソース配線Ｓ上において、柱状スペーサＳＳは、隣接した３本のゲート配線Ｇのうちの１本の上に配置されている。図５に示した例では、柱状スペーサＳＳは、ゲート配線Ｇ１、Ｇ４とソース配線Ｓ２、Ｓ５とが交差した位置に配置されている。緑色画素ＰＸＧと青色画素ＰＸＢとの間に配置されたソース配線Ｓ上には柱状スペーサＳＳを配置していない。図５に示した例では、ソース配線Ｓ３上には柱状スペーサＳＳが配置されない。青色画素ＰＸＢと赤色画素ＰＸＲとの間に配置されたソース配線Ｓ上において、柱状スペーサＳＳは、隣接した３本のゲート配線Ｇのうちの２本の上に配置されている。すなわち、図５に示した例では、柱状スペーサＳＳは、ゲート配線Ｇ２、Ｇ３、Ｇ５とソース配線Ｓ１、Ｓ４とが交差した位置に配置されている。
【００５９】
本実施形態では、画素ＰＸの中央にゲート配線Ｇと平行に補助容量線Ｃが配置されている。このアレイ基板ＡＲ上の補助容量線Ｃと、対向基板ＴＣ上において画素ＰＸの略中央に設けられた共通電極ＣＥの十字状の除去部ＣＥＡ（図２に示す）の一部は重なって配置されている。すなわち、十字状の除去部ＣＥＡにおいて、補助容量線Ｃと平行な部分の除去部分は補助容量線Ｃと重なり補助容量線Ｃと垂直な部分はゲート線Ｇに向かって延出するように配置されている。これにより画素内で液晶が対称的に配向し視野角を改善し、且つ、光を透過させない部分を重ねているため透過率の向上を図ることができる。さらに、除去部を十字状にすることにより液晶分子の応答を速くすることができる。
【００６０】
一方、柱状スペーサＳＳはその周辺の液晶分子を不所望な方向に配向させる。したがって、液晶分子を所望とする方向に制御する十字状の除去部ＣＥＡと液晶分子を不所望な方向に配向させる柱状スペーサＳＳが互いに近接して配置されると液晶分子の配向の乱れが生じ表示不良になる虞がある。
【００６１】
そこで、本実施形態では、上記の視野角の改善、透過率の向上、及び、液晶分子の配向の乱れの抑制等を考慮して、画素の中央で補助容量線Ｃと共通電極の十字状の除去部ＣＥＡを重ねるとともに柱状スペーサＳＳを十字状の除去部ＣＥＡから遠くに位置するゲート配線Ｇとソース配線Ｓとの交差部に配置している。
【００６２】
上記のように配置するのは、３色の着色層のうち、緑色着色層ＣＦＧが最も透過率が高く設計されているため、緑色画素ＰＸＧの周囲に柱状スペーサＳＳの下の遮光層ＬＣを配置すると、開口率の減少が大きくなり製品輝度に反映される為である。
【００６３】
なお、セルギャップの保持、ガラスの面押しに対する高い耐久性を持つ液晶表示装置を製造する為には、ある程度のスペーサ面密度が必要であり、製品によって必要なスペーサ面密度は異なる。この為、赤色画素ＰＸＲと緑色画素ＰＸＧとの間に配置されたソース配線Ｓ上に柱状スペーサＳＳを配置しなくても十分な耐久性を持つ液晶表示装置を提供できる場合には、赤色画素ＰＸＲと青色画素ＰＸＢとの間に配置されたソース配線Ｓ上にのみ柱状スペーサＳＳを配置してもよい。
【００６４】
また、本実施形態では、赤色着色層ＣＦＲは青色着色層ＣＦＢよりも透過率が低く設計されているため、すなわち、青色着色層ＣＦＢと緑色着色層ＣＦＧの透過率差が赤色着色層ＣＦＲと緑色着色層ＣＦＧの透過率差に比べて大きく青色に緑色が混色する場合に混色が分かり易いため、青色画素ＰＸＢと緑色画素ＰＸＧとの間には柱状スペーサＳＳを配置せずに、赤色画素ＰＸＲと緑色画素ＰＸＧとの間に柱状スペーサＳＳを配置して、開口率の低下を抑制している。カラーフィルタＣＦの設計に応じて、青色画素ＰＸＢと緑色画素ＰＸＧとの間にも柱状スペーサＳＳを配置してもよい。
【００６５】
上記のように柱状スペーサＳＳを配置することにより、緑色画素ＰＸＧの周囲に配置される柱状スペーサＳＳの数が、赤色画素ＰＸＲ及び青色画素ＰＸＢの周囲に配置される柱状スペーサＳＳの数よりも少なくなり、赤色画素ＰＸＲ及び青色画素ＰＸＢを透過する光の一部が緑色着色層ＣＦＧを介して視認されることを抑制することができる。したがって、図５に示すように柱状スペーサＳＳを配置することにより、表示品位の良好な液晶表示装置を提供することができる。
【００６６】
図６は、上記液晶表示装置において、柱状スペーサＳＳを配置する位置の他の例について説明するための図である。ここでは、説明に必要な構成のみを示し他の構成は省略している。また、画素ＰＸの中央においてゲート線Ｇと平行に配置されている補助容量線Ｃ及び共通電極ＣＥの十字状の除去部ＣＥＡの配置は図２と同様であり、図６では省略している。
【００６７】
この例では、赤色画素ＰＸＲと青色画素ＰＸＢとの間に配置されたソース配線Ｓ上と、赤色画素ＰＸＲと緑色画素ＰＸＧとの間に配置されたソース配線Ｓ上とに同じ数だけ柱状スペーサＳＳが配置され、緑色画素ＰＸＧと青色画素ＰＸＢとの間に配置されたソース配線Ｓ上には柱状スペーサＳＳが配置されていない。
【００６８】
赤色画素ＰＸＲと緑色画素ＰＸＧとの間に配置されたソース配線Ｓ上の柱状スペーサＳＳは、赤色画素ＰＸＲと青色画素ＰＸＢとの間に配置されたソース配線Ｓ上の柱状スペーサＳＳよりも底面の面積が小さい。したがって、赤色画素ＰＸＲと緑色画素ＰＸＧとの間に配置する柱状スペーサＳＳ下の遮光層ＬＣは、赤色画素ＰＸＲと青色画素ＰＸＢとの間に配置する柱状スペーサＳＳ下の遮光層ＬＣよりも小さくすることができ、緑色画素ＰＸＧの開口率の減少を抑制することができる。
【００６９】
また、上記のように底面の面積が異なる柱状スペーサＳＳを配置することにより、緑色画素ＰＸＧの周囲に配置される柱状スペーサＳＳは、赤色画素ＰＸＲ及び青色画素ＰＸＢの周囲に配置される柱状スペーサＳＳよりもその底面の面積が小さくなり、柱状スペーサＳＳによる配向乱れにより赤色画素ＰＸＲ及び青色画素ＰＸＢを透過する光の一部が緑色着色層ＣＦＧを介して視認されることを抑制することができる。
【００７０】
また、図６に示す例では視野角の改善、透過率の向上、及び、液晶分子の配向の乱れの抑制を考慮して、図５に示す例と同様に補助容量線上に柱状スペーサＳＳを配置しない。
【００７１】
したがって、図６に示すように柱状スペーサＳＳを配置することにより、表示品位の良好な液晶表示装置を提供することができる。
【００７２】
図７は、上記液晶表示装置において、柱状スペーサＳＳを配置する位置の他の例について説明するための図である。ここでは、説明に必要な構成のみを示し他の構成は省略している。また、画素ＰＸの中央においてゲート線Ｇと平行に配置されている補助容量線Ｃ及び共通電極ＣＥの十字状の除去部ＣＥＡの配置は図２と同様であり、図７では省略している。
【００７３】
この例では、図５に示した例の柱状スペーサＳＳの位置を一部変更している。すなわち、赤色画素ＰＸＲと緑色画素ＰＸＧとの間に配置されたソース配線Ｓ２、Ｓ５上において、柱状スペーサＳＳはソース配線Ｓ２、Ｓ５とゲート配線Ｇ１、Ｇ４とが交差した位置からずれて配置されている。柱状スペーサＳＳは、画素電極ＰＥが赤色画素ＰＸＲ側へシフトした緑色画素ＰＸＧ側へ、ゲート配線Ｇ上から第２方向Ｙに沿ってずれて配置される。具体的には、柱状スペーサＳＳは、ソース配線Ｓ２とゲート配線Ｇ１とが交差する位置から第２方向Ｙに沿って上側にずれて配置され、ソース配線Ｓ２とゲート配線Ｇ４とが交差する位置から第２方向Ｙに沿って下側（ゲート配線Ｇ５側）にずれて配置されている。
【００７４】
上記のように赤色画素ＰＸＲと緑色画素ＰＸＧとの間に配置されたソース配線Ｓ２、Ｓ５上に配置した柱状スペーサＳＳをずらして配置すると、緑色画素ＰＸＧ側へ隣接した画素ＰＸの画素電極ＰＥがシフトしている部分に柱状スペーサＳＳが配置されることが無くなり、柱状スペーサＳＳ近傍の液晶の配向乱れにより赤色画素ＰＸＲを透過する光の一部が緑色着色層ＣＦＧを介して視認されることを回避できる。
【００７５】
また、図７に示す例では視野角の改善、透過率の向上、及び、液晶分子の配向の乱れの抑制を考慮して、図５に示す例と同様に補助容量線上に柱状スペーサＳＳを配置しない。
【００７６】
したがって、図７に示す例によれば、図５に示す例と同様の効果が得られるとともに、さらに表示品位を改善することができる。
【００７７】
図８は、上記液晶表示装置において、柱状スペーサＳＳを配置する位置の他の例について説明するための図である。ここでは、説明に必要な構成のみを示し他の構成は省略している。また、画素ＰＸの中央においてゲート線Ｇと平行に配置されている補助容量線Ｃ及び共通電極ＣＥの十字状の除去部ＣＥＡの配置は図２と同様であり、図８では省略している。
【００７８】
この例では、図５に示した例の柱状スペーサＳＳの位置を一部変更している。すなわち、柱状スペーサＳＳは、赤色画素ＰＸＲと緑色画素ＰＸＧとの間に配置されたソース配線Ｓ２、Ｓ５とゲート配線Ｇ１、Ｇ４とが交差する位置から、第１方向Ｘに沿って赤色画素ＰＸＲ側にずれて配置されている。具体的には、柱状スペーサＳＳは、ソース配線Ｓ２とゲート配線Ｇ１とが交差する位置から第１方向Ｘに沿って左側（ソース配線Ｓ１側）にずれて配置され、ソース配線Ｓ２とゲート配線Ｇ４とが交差する位置から第１方向Ｘに沿って左側（ソース配線Ｓ１側）にずれて配置されている。
【００７９】
上記のように赤色画素ＰＸＲと緑色画素ＰＸＧとの間に配置されたソース配線Ｓ２、Ｓ５上に配置した柱状スペーサＳＳをずらして配置すると、緑色画素ＰＸＧから離れた位置に柱状スペーサＳＳが配置されるため、遮光層ＬＣにより緑色画素ＰＸＧの開口率が低下することもなく、柱状スペーサＳＳ近傍の液晶の配向乱れにより赤色画素ＰＸＲを透過する光の一部が緑色着色層ＣＦＧを介して視認されることを回避できる。
【００８０】
また、図８に示す例では視野角の改善、透過率の向上、及び、液晶分子の配向の乱れの抑制を考慮して、図５に示す例と同様に補助容量線上に柱状スペーサＳＳを配置していない。
【００８１】
したがって、図８に示す例によれば、図５に示す例と同様の効果が得られるとともに、さらに表示品位を改善することができる。
【００８２】
図９は、上記液晶表示装置において、柱状スペーサＳＳを配置する位置の他の例について説明するための図である。ここでは、説明に必要な構成のみを示し他の構成は省略している。また、図９に示す例では画素ＰＸの中央においてアレイ基板ＡＲ上にゲート線Ｇと平行に配置されている補助容量線Ｃとこの補助容量線と重なる部分の対向基板ＣＴ上に共通電極ＣＥの十字状の除去部ＣＥＡが配置されている。共通電極ＣＥの十字状の除去部ＣＥＡの配置は図２と同様であり、図９では図示を省略している。
【００８３】
この例では、図５に示した例の柱状スペーサＳＳの位置を一部変更している。すなわち、赤色画素ＰＸＲと緑色画素ＰＸＧとの間に配置されたソース配線Ｓ２、Ｓ５上において、柱状スペーサＳＳの少なくとも一部はソース配線Ｓと補助容量線Ｃとが交差した位置に配置されている。
【００８４】
また、柱状スペーサＳＳを赤色画素ＰＸＲと緑色画素ＰＸＧ間のみ補助容量線Ｃとソース配線Ｓとの交差位置に配置する。混色した状態が視認される表示不良は、法線方向Ｚに対して第１方向Ｘ側に傾いた斜め方向からアクティブエリアＡＣＴを視認したとき生じる。したがって、第１方向Ｘに延びた補助容量線Ｃ上に柱状スペーサＳＳを配置すると、補助容量線Ｃにより柱状スペーサＳＳの周囲も遮光され、柱状スペーサＳＳによる液晶の配向乱れが生じた場合でも光抜け等が生じない。
【００８５】
なお、図９のように画素ＰＸの第２方向Ｙにおける中央に補助容量線Ｃが配置されている場合には、柱状スペーサＳＳの周囲の配向が乱れることが懸念されるが、赤色着色層ＣＦＲと緑色着色層ＣＦＧの透過率差は青色着色層ＣＦＢと緑色着色層ＣＦＧの透過率差に比べて小さく配向の乱れが目立ち難い為、赤色画素ＰＸＲと緑色画素ＰＸＧとの間のみに柱状スペーサＳＳを配置した方が望ましい。
【００８６】
上記のように赤色画素ＰＸＲと緑色画素ＰＸＧとの間において、柱状スペーサＳＳをソース配線Ｓと補助容量線Ｃとが交差する位置に配置することにより、補助容量線Ｃにより柱状スペーサＳＳの周囲を遮光することができるため、別途遮光層を設ける必要がなく、開口率が低下を回避することができる。
【００８７】
したがって、図９に示す例によれば、図５に示す例と同様の効果が得られるとともに、さらに表示品位を改善することができる。
【００８８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８９】
なお、上記実施形態において、アレイ基板ＡＲの表面に凹凸が生じている場合には、柱状スペーサＳＳの高さを調整してもよい。例えば、ゲート配線Ｇとソース配線Ｓとが交差する位置が、ソース配線Ｓのみが配置された位置やゲート配線Ｇのみが配置された位置よりも厚くなっている場合には、ゲート配線Ｇとソース配線Ｓとが交差する位置に配置する柱状スペーサＳＳを低くしてもよい。
【００９０】
また、上記実施形態では、共通電極ＣＥの除去部は十字状の例で説明したが、ゲート配線Ｇと平行な除去部が無くソース配線Ｓに平行な除去部のみの構造でも良く、すなわち、共通電極ＣＥの除去部はＩ字状であっても良い。
【００９１】
また、上記実施形態では、垂直配向モードを採用した液晶表示装置を例に説明したが、他の液晶配向モード（例えば、ＥＣＢモードやＦＦＳモード等）を採用した液晶表示装置であっても、上記の実施形態と同様に柱状スペーサを配置することにより同様の効果を得ることができる。
【符号の説明】
【００９２】
ＬＰＮ…液晶表示パネル、ＡＲ…アレイ基板、ＣＴ…対向基板、ＬＱ…液晶層、ＡＣＴ…アクティブエリア、ＰＸ…画素、Ｇ…ゲート配線、Ｃ…補助容量線、Ｓ…ソース配線、Ｘ…第１方向、Ｙ…第２方向、Ｚ…第３方向（法線方向）、ＳＷ…スイッチング素子、ＰＥ…画素電極、ＣＥ…共通電極、ＳＣ…半導体層（ドレイン配線）、ＢＭ…ブラックマトリクス、ＣＦ…カラーフィルタ、ＯＣ…オーバーコート層、ＡＰ…開口部、ＣＦＲ…赤色着色層、ＣＦＢ…青色着色層、ＣＦＧ…緑色着色層、ＣＥＡ…除去部（スリット）、ＬＣ…遮光層、ＳＳ…柱状スペーサ、ＥＢ…下地層、ＰＸＲ…赤色画素、ＰＸＧ…緑色画素、ＰＸＢ…青色画素、４…バックライト。
【図１】
2014186135.tif 000003
【図２】
2014186135.tif 000004
【図３】
2014186135.tif 000005
【図４】
2014186135.tif 000006
【図５】
2014186135.tif 000007
【図６】
2014186135.tif 000008
【図７】
2014186135.tif 000009
【図８】
2014186135.tif 000010
【図９】
2014186135.tif 000011